(57)【要約】【課題】クリーニング状態を良好なものとし、クリーニングによる対物レンズのスキューズレを防止する。【解決手段】スレッド送りモータ５を駆動して、光ピックアップ５０を、＋Ｙ方向の移動端に移動させると、押当部材１９が開口部２０からハウジング１１の内部に進入し、その先端部がアクチュエータ部１３の凹部１８に嵌合する。押当部材１９の先端部は、アクチュエータ部１３に当接して、アクチュエータ部１３を、ハウジング１１の内壁に押し当てる。このとき、ハウジング１１の内壁の凸部１５も、アクチュエータ部１３の凹部１７に嵌合する。これにより、アクチュエータ部１３が固定される。【選択図】図５
2010009664.tif 000002
【特許請求の範囲】
【請求項１】
光ディスク媒体をセットするターンテーブルと、
前記光ディスク媒体にレーザを照射する光ピックアップと、
前記光ピックアップを前記ターンテーブルの半径方向に送る送り機構
を備える光ディスク装置において、
前記光ピックアップは、前記ターンテーブルの半径方向に開口する開口部を有するハウジングと、前記ハウジング内に揺動自在に支持される対物レンズユニットを有し、
前記ターンテーブルに対する相対的な位置を固定される押当部材を備え、
前記押当部材は、前記光ピックアップが前記送り機構の移動端に送られたときに、前記開口部から前記ハウジング内に進入して、前記対物レンズユニットに当接し、前記対物レンズユニットを前記ハウジングの前記開口部の反対側の内壁に押し当てる
ことを特徴とする光ディスク装置。
【請求項２】
前記対物レンズユニットの側面に、前記押当部材の先端部と嵌合する凹部が設けられていることを特徴とする請求項１に記載の光ディスク装置。
【請求項３】
前記対物レンズユニットと当接する前記ハウジングの内壁に凸部が形成され、
前記対物レンズユニットの側面に、当該凸部と嵌合する凹部が設けられていることを特徴とする請求項１又は２に記載の光ディスク装置。
【請求項４】
前記開口部側の移動端は、
前記光ディスク媒体のデータ領域よりも、さらにその外周側又は内周側に設定されていることを特徴とする請求項１〜３のいずれか一項に記載の光ディスク装置。
【発明の詳細な説明】
【技術分野】
【０００１】
本発明は、光ディスク媒体に対してデータの再生又は記録を行う光ディスク装置に関する。
【背景技術】
【０００２】
光ディスク媒体に対してデータの再生又は記録を行う光ディスク装置では、例えば光ディスク媒体の挿入口などから、粉塵などの異物が進入する。このような異物は、光ピックアップの対物レンズに付着し、検出信号のレベルの低下などの一因となる。特に、車両に搭載される光ディスク装置では、周辺における粉塵量が極めて多い環境下にあることから、このような異物の付着に対する対策を欠かすことはできない。
【０００３】
そこで、光ピックアップの対物レンズに付着した異物を除去するクリーニング作業が行われている。異物を完全に除去するには、装置を分解して、対物レンズの表面のクリーニングを行うのが望ましい。この場合、ユーザ自身が装置を分解するのは困難なため、装置のメンテナンスを行う製造メーカのサービスステーションなどに、クリーニング作業を依頼するのが一般的である。
【０００４】
装置を分解することなく、ユーザ自身がクリーニングを行う代表的な方法として、クリーニングディスクを用いる方法がある。クリーニングディスクには、通常の光ディスク媒体の記録面に相当する面（光ピックアップに対向する面）に、クリーニング部材が設けられている。このクリーニングディスクは、通常の光ディスク媒体と同様に、光ディスク装置内部に挿入され、ターンテーブル上にセットされ、ターンテーブルの回転に伴って回転する。この回転により、クリーニング部材が、光ピックアップの対物レンズに当接し、その対物レンズに付着した異物を除去する（例えば、特許文献１参照）。
【０００５】
【特許文献１】特開平５−４７０２１号公報
【発明の開示】
【発明が解決しようとする課題】
【０００６】
上述のように、クリーニングディスクを用いた場合には、そのクリーニング部材が対物レンズの表面に当接するようになる。この方法でクリーニング状態を良好なものとするには、対物レンズが、クリーニング部材からの押圧力に負けることなく、しっかりと保持されている必要がある。
【０００７】
しかしながら、対物レンズは、フォーカシングやトラッキングを行うために、例えば、ワイヤにより揺動自在に支持されているのが一般的である。このような保持構造では、クリーニングの際に、クリーニング部材からの押圧力によって、対物レンズの位置がずれて、良好なクリーニング効果が得られなくなるおそれがある。また、クリーニング部材の押圧力を受けて、対物レンズを保持するワイヤ保持部が塑性変形して、対物レンズの角度ズレ（スキューズレ）などが発生するおそれもある。
【０００８】
本発明は、上記事情に鑑みてなされたものであり、良好なクリーニング効果が得られ、かつ、対物レンズのスキューズレを防止することができる光ディスク装置を提供することを目的とする。
【課題を解決するための手段】
【０００９】
上記目的を達成するために、本発明の第１の観点に係る光ディスク装置は、光ディスク媒体をセットするターンテーブルと、前記光ディスク媒体にレーザを照射する光ピックアップと、前記光ピックアップを前記ターンテーブルの半径方向に送る送り機構を備える光ディスク装置において、前記光ピックアップは、前記ターンテーブルの半径方向に開口する開口部を有するハウジングと、前記ハウジング内に揺動自在に支持される対物レンズユニットを有し、前記ターンテーブルに対する相対的な位置を固定される押当部材を備え、前記押当部材は、前記光ピックアップが前記送り機構の移動端に送られたときに、前記開口部から前記ハウジング内に進入して、前記対物レンズユニットに当接し、前記対物レンズユニットを前記ハウジングの前記開口部の反対側の内壁に押し当てるものである。
【００１０】
前記対物レンズユニットの側面に、前記押当部材の先端部と嵌合する凹部が設けられていることとしてもよい。
【００１１】
前記対物レンズユニットと当接する前記ハウジングの内壁に凸部が形成され、前記対物レンズユニットの側面に、当該凸部と嵌合する凹部が設けられていることとしてもよい。
【００１２】
前記開口部側の移動端は、前記光ディスク媒体のデータ領域よりも、さらにその外周側又は内周側に設定されていることとしてもよい。
【発明の効果】
【００１３】
本発明によれば、良好なクリーニング効果が得られ、かつ、対物レンズのスキューズレを防止することができる。
【発明を実施するための最良の形態】
【００１４】
次に、本発明の一実施形態について図面を参照して詳細に説明する。本実施形態に係る光ディスク装置は、再生専用の装置である。
【００１５】
図１には、本実施形態に係る光ディスク装置１００における、光ピックアップの送り機構を中心とした内部構成の斜視図が示され、図２には、その内部構成の上面図が示されている。図１、図２に示されるように、光ディスク装置１００は、スピンドルモータ２と、ターンテーブル３と、スレッド送りモータ５と、ギア６、７と、スレッドスクリュー８と、主軸９と、副軸１０と、ハウジング１１と、支持台１２と、アクチュエータ部１３と、ワイヤ１４と、対物レンズ１６とを備えている。アクチュエータ部１３と対物レンズ１６とで、対物レンズユニットが構成されている。
【００１６】
ハウジング１１には、レーザダイオード、フォトダイオード、ビームスプリッタ、コリメータレンズなどの各種光学系も収納されているが、図面の錯綜を防止するため、図１、図２では、その図示が省略されている。なお、ハウジング１１に収納された、支持台１２、アクチュエータ部１３及び各種光学系などにより、光ピックアップ５０が構成されている。
【００１７】
スピンドルモータ２は、その回転軸がＺ軸に平行となるように、不図示のシャーシに固定されている。スピンドルモータ２の回転軸には、ターンテーブル３が固着されている。このターンテーブル３上に、光ディスク媒体又は後述するクリーニングディスク２００がセットされる。
【００１８】
スレッド送りモータ５は、その回転軸がＹ軸に平行となるように、不図示のシャーシに固定されている。スレッド送りモータ５の回転軸には、ギア６が固着されている。ギア６には、ギア７がかみ合っている。さらに、ギア７は、Ｙ軸方向に延びるスレッドスクリュー８の一端に固着されている。スレッドスクリュー８は、Ｙ軸方向に延びている。スレッドスクリュー８の他端は、不図示のベアリングを介して、不図示のシャーシに対して回転可能に支持されている。スレッド送りモータ５が回転すると、ギア６、ギア７を介して、スレッドスクリュー８が回転する。
【００１９】
一方、主軸９及び副軸１０は、スレッドスクリュー８と平行に、すなわちＹ軸方向に延びている。ハウジング１１は、この主軸９及び副軸１０上を、Ｙ軸方向に摺動可能に支持されている。
【００２０】
スレッドスクリュー８には、螺旋状のネジ溝が形成されている。また、ハウジング１１のスレッドスクリュー８側には、スレッドスクリュー８のネジ溝に係合する歯部１１ａが設けられている。これらの噛み合いにより、スレッドスクリュー８が回転すると、光ピックアップ５０がＹ軸方向に移動する。以上の構成により、スレッド送りモータ５の回転軸が回転すると、スレッドスクリュー８が回転し、ハウジング１１がＹ軸方向に移動するようになる。なお、ハウジング１１の移動範囲は、ターンテーブル３にセットされた光ディスク媒体のデータ領域を完全にカバーできるようになっており、その移動端は、光ディスク媒体のデータ領域の範囲外となっている。
【００２１】
ハウジング１１内には、支持台１２とアクチュエータ部１３とが収納されている。支持台１２は、ハウジング１１の底面に固定されている。アクチュエータ部１３は、Ｘ軸方向に延びる４本のワイヤ１４により、支持台１２に揺動自在に支持されている。アクチュエータ部１３の＋Ｚ側の面には、対物レンズ１６が設けられている。光ディスク装置１００では、この対物レンズ１６を介して、光ディスク媒体へのレーザ光の出射及び入射が行われる。
【００２２】
アクチュエータ部１３の内部には、フォーカスコイルや、トラッキングコイル（いずれも不図示）が収納されている。アクチュエータ部１３は、ワイヤ１４によって揺動自在に支持されているため、フォーカスコイル、トラッキングコイルと、不図示のマグネットにより発生した磁界との電磁作用により、Ｚ軸方向及びＹ軸方向に駆動される。この駆動より、対物レンズ１６のＹ軸位置及びＺ軸位置が調整され、フォーカシング及びトラッキングが実現される。
【００２３】
さらに、光ディスク装置１００には、押当部材１９が設けられている。押当部材１９は、ターンテーブル３の近傍に設置されており、例えば不図示のシャーシに固定されている。押当部材１９は、光ディスク媒体のデータ領域よりも、さらにその内周側に設定されている。押当部材１９は、−Ｙ側に突出する棒状体を有している。その棒状体の先端は、略円錐状、いわゆるテーパ状となっているが、これに限られない。前記棒状体の先端の形状は、後述するアクチュエータ部１３の凹部１８に嵌合する形状であれば十分であり、例えば、球面状であってもよい。押当部材１９の先端部の素材としては、アクチュエータ部１３に当接しそれを安定して保持できるようなものであれば、ゴムなどの弾性力を有するような素材を選択するようにしてもよい。
【００２４】
また、ハウジング１１のターンテーブル３側の側壁（＋Ｙ方向を向く壁面）には、
開口部２０が開口している。そのため、光ピックアップ５０が、＋Ｙ軸方向の移動端に送られると、押当部材１９が開口部２０を通って、ハウジング１１の内部に進入する。ハウジング１１の内部に進入した押当部材１９の先端部は、アクチュエータ部１３に当接し、アクチュエータ部１３を−Ｙ方向に押し出す。なお、開口部２０は、押当部材１９がハウジング１１の内部に出入りできるような寸法及び形状を備えていれば十分であり、図示しているような円形の貫通孔には限られない、例えば、ハウジング１１の内壁を上縁から切り欠いて、Ｕ字形の切り欠きを形成してもよい。
【００２５】
また、アクチュエータ部１３の＋Ｙ側の側面には、凹部１８が設けられている。凹部１８は、円錐状となっており、押当部材１９の先端部が、凹部１８に嵌りこむようになっている。この嵌合により、押当部材１９の先端部が、アクチュエータ部１３に当接し、アクチュエータ部１３を−Ｙ方向に押すようになっても、押当部材１９の先端部がアクチュエータ部１３の側面上を滑るのを防止して所定の位置に固定することができるようになっている。なお、凹部１８の形状は、押当部材１９の先端部と嵌合して、前記先端部が滑るのを防止できる形状を備えていれば十分であり、円錐状には限られない。
【００２６】
また、アクチュエータ部１３の−Ｙ側の側面と対向するハウジング１１の内壁には、凸部１５が形成されており、アクチュエータ部１３の−Ｙ側の側面には、凹部１７が設けられている。アクチュエータ部１３が、最終的にハウジング１１の内壁に押し当てられるようになると、凸部１５は凹部１７に嵌まり込むようになる。この嵌合により、アクチュエータ部１３が、ハウジング１１の内壁に押し当てられた場合に、アクチュエータ部１３が、ハウジング１１の内壁に沿って滑るのを防止し、所定の位置に固定することができるようになっている。
【００２７】
図３に示されるように、押当部材１９と、開口部２０と、凹部１８と、凹部１７と、凸部１５と、ターンテーブル３の回転中心とは、Ｙ軸方向にほぼ一直線上に並ぶように配置されている。これにより、押当部材１９がアクチュエータ部１３をハウジング１１の内壁に押し当てた場合に、アクチュエータ部１３に対してＹ軸方向以外の力が加わらないようになっている。
【００２８】
また、図２に示されるように、光ディスク装置１００は、制御部９０をさらに備えている。制御部９０は、不図示のＣＰＵ（Central Processing Unit）やＲＯＭ（Read Only Memory）やＲＡＭ（Random Access Memory）等から構成されている。制御部９０は、例えばＲＯＭに格納された制御プログラムを、ＣＰＵが実行することにより、光ディスク装置１００全体を統括制御する。例えば、制御部９０は、スレッド送りモータ５を駆動して、光ピックアップ５０のハウジング１１の位置を制御する。この他、制御部９０は、光ディスク媒体（又はクリーニングディスク２００）の挿入及び排出、スピンドルモータ２の回転制御などを行う。制御部９０は、上述した制御を所定の手順に従って実行することにより、セットされた光ディスク媒体の再生や、クリーニングディスク２００を用いたクリーニング動作などを行う。
【００２９】
次に、本発明の一実施形態に係る光ディスク装置１００の動作について説明する。図４には、本実施形態に係る光ディスク装置１００のクリーニング動作のフローチャートが示されている。図４に示されるように、制御部９０は、まず、ステップ２０１において、クリーニングを開始するか否かを判定する。この判定が肯定されれば、ステップ２０２に進み、否定されれば処理を終了する。例えば、ユーザの操作入力により、クリーニングの開始が指示されると、この判定が肯定され、ステップ２０２に進む。
【００３０】
ステップ２０２では、制御部９０は、スレッド送りモータ５を駆動して、光ピックアップ５０を＋Ｙ方向（光ディスク媒体の内周側）の移動端に移動させる。次のステップ２０３では、光ピックアップ５０の移動が完了し、不図示の最内周位置検出のＳＷレバーがオンとなるまで待つ。
【００３１】
なお、光ピックアップ５０の移動が完了すると、光ピックアップ５０は、図５（Ｂ）に示される状態となり、この状態では、押当部材１９が開口部２０から光ピックアップ５０の内部に進入し、その先端部がアクチュエータ部１３に当接して、凹部１８に入り込む。さらに、押当部材１９はアクチュエータ部１３をハウジング１１の内壁に押当する。このとき、ハウジング１１の内壁の凸部１５も、アクチュエータ部１３の凹部１７に嵌まり込む。これにより、アクチュエータ部１３のＸＺ面内の位置ずれが防止される。上述したように、押当部材１９、ハウジング１１の凸部１５、アクチュエータ部１３の両凹部１７、１８は、それぞれ円錐状に形成されているので、良好にセンタリングされ、当接する部分のガタツキが最小限に抑えられるようになる。なお、このとき、４本のワイヤ１４は、湾曲はしているが、塑性変形を生じさせない範囲の押当状態となっている。もちろん、光ピックアップ５０が＋Ｙ方向の移動端にあるときに、４本のワイヤ１４が湾曲しないように構成してもよい。
【００３２】
制御部９０が光ピックアップ５０の移動の完了を認識すると、ステップ２０４に進む。ステップ２０４では、制御部９０はユーザにクリーニングディスク２００の挿入を促すとともに、クリーニングディスク２００の挿入の有無を判定する。そして、この判定が肯定されると、ステップ２０５に進む。
【００３３】
ステップ２０５では、制御部９０は、スピンドルモータ２を回転させて、クリーニングを行う。これにより、クリーニングディスク２００が回転し、クリーニング部材２０１が、対物レンズ１６に当接し、対物レンズ１６に付着した異物が取り除かれる。このとき、アクチュエータ部１３は、押当部材１９によって、ハウジング１１の内壁に押し当てられており、その位置が固定されている。このため、対物レンズ１６に付着した異物が、効率良く除去されるうえ、クリーニング部材２０１の押下力によりワイヤ１４が引っ張り力や圧力を受けることもなくなる。このため、例えば、ワイヤ１４にＸ軸方向の力が加えられて、それらが塑性変形するようなこともなくなる。
【００３４】
クリーニングが完了すると、ステップ２０６に進む。ステップ２０６では、制御部９０はユーザにクリーニングディスク２００の排出を促すとともに、クリーニングディスク２００の排出の有無を判定する。そして、この判定が肯定されると、ステップ２０７に進む。
【００３５】
ステップ２０７では、制御部９０は、スレッド送りモータ５を駆動して、光ピックアップ５０を−Ｙ方向（光ディスク媒体の外周側）の移動端に移動させる。次のステップ２０８では、光ピックアップ５０の移動が完了し、不図示の最外周位置検出のＳＷレバーがオンとなるまで待つ。
【００３６】
なお、光ピックアップ５０の移動が完了すると、光ピックアップ５０は、図５（Ａ）に示される状態となり、処理を終了する。
【００３７】
以上詳細に説明したように、本実施形態によれば、クリーニングディスク２００を用いたクリーニングの際に、対物レンズ１６を有するアクチュエータ部１３は、光ピックアップ５０のハウジング１１を貫通した押当部材１９により、ハウジング１１の内壁に押し当てられている。このようにすれば、揺動自在に支持されたアクチュエータ部１３を、押当部材１９とハウジング１１の内壁とで挟持することができるので、アクチュエータ部１３が、クリーニング部材２０１の押圧力でその位置がずれることがなくなるため、対物レンズ１６に付着した異物を確実に除去することができる。また、アクチュエータ部１３を揺動自在に支持するワイヤ１４の塑性変形を防止することができるようになる。
【００３８】
なお、上記実施形態では、ターンテーブル３にセットされた光ディスク媒体の内周側に、押当部材１９を配置したが、これを光ディスク媒体の外周側に配置するようにしてもよい。この場合には、開口部２０、凹部１８、凹部１７、凸部１５の配置も逆となり、クリーニング時には、制御部９０は、光ピックアップ５０を、−Ｙ側（光ディスク媒体の外周側）の移動端に移動させるようになる。また、この場合には、クリーニングディスク２００上のクリーニング部材２０１の位置も、外周側に配置する必要があるのは勿論である。
【００３９】
また、押当部材１９により、アクチュエータ部１３を確実に押し当てることができるのであれば、凹部１８、凹部１７、凸部１５はなくてもよい。また、アクチュエータ部１３側に、凸部を設け、ハウジング１１の内壁に凹部を設けるようにしてもよい。
【００４０】
また、押当部材１９側の光ピックアップ５０の移動端は、光ディスク媒体のデータ領域よりも、さらにその外周側又は内周側に設定されている。このようにすれば、光ピックアップ５０を用いて、光ディスク媒体を再生する場合に、押当部材１９がアクチュエータ部１３と当接してしまうのを防止することができる。
【００４１】
なお、押当部材１９を、光ピックアップ５０がクリーニングを行う位置への移動を完了したことを検出するＳＷレバーを兼ねるようにしてもよい。このようにすれば、図４におけるステップ２０３の移動完了の判定は、押当部材１９（ＳＷレバー）がオンされたことをその肯定の条件にすることができる。
【００４２】
また、上記実施形態では、クリーニングを行っている間に、押当部材１９とハウジング１１の内壁とでアクチュエータ部１３を挟持したが、再生動作を行っていない場合には、常に、アクチュエータ部１３を、押当部材１９とハウジング１１の内壁とで挟持しておくようにしてもよい。このようにすれば、再生動作を行っていない間は、アクチュエータ部１３を安定して保持しておくことができるので、装置故障や性能低下などの発生をさらに低減することができる。
【００４３】
例えば、光ディスク装置１００が車両に搭載されるような車載装置であるような場合、再生動作を行っていないときに、アクチュエータ部１３を押当部材１９とハウジング１１の内壁とで挟持しておくようにしておけば、外部からの振動によってアクチュエータ部１３が大きく振動してワイヤ１４が塑性変形するのを防止することができる。
【００４４】
このように、本発明によれば、アクチュエータ部１３を、電気的な方法ではなく機械的な方法で挟持しているため、光ディスク装置１００の電源が投入されていない状態でも、アクチュエータ部１３を安定して保持しておくことができる。このため、光ディスク装置１００を車両に実装しようとする場合や、光ディスク装置１００を輸送するような場合にも本発明は有効である。
【００４５】
また、上記実施形態に係る光ディスク装置１００は、再生装置であったが、光ディスク媒体への記録を行う記録装置、再生／記録装置にも、本発明を適用することができるのは勿論である。
【００４６】
また、上記実施形態では、制御プログラムが、ＲＯＭに予め記憶されているものとして説明した。この制御プログラムは、フレキシブルディスク、ＣＤ−ＲＯＭ（Compact Disc Read-Only Memory）、ＤＶＤ（Digital Versatile Disc）、ＭＯ（Magneto Optical disc）などのコンピュータ読み取り可能な記録媒体に格納して配布され、光ディスク装置にインストールされるようになっていてもよい。
【図面の簡単な説明】
【００４７】
【図１】本発明の一実施形態に係る光ディスク装置における光ピックアップの送り機構を中心とした内部構成を示す斜視図である。
【図２】図１の光ディスク装置の内部構成の斜視図である。
【図３】アクチュエータ部１３の周辺の拡大上面図である。
【図４】本実施形態に係る光ディスク装置のクリーニング動作を示すフローチャートである。
【図５】図５（Ａ）は、通常動作の際の光ピックアップの状態を示す図であり、図５（Ｂ）は、クリーニング動作の際の光ピックアップの状態を示す図である。
【符号の説明】
【００４８】
２  スピンドルモータ
３  ターンテーブル
５  スレッド送りモータ
６、７  ギア
８  スレッドスクリュー
９  主軸
１０  副軸
１１  ハウジング
１２  支持台
１３  アクチュエータ部
１４  ワイヤ
１５  凸部
１６  対物レンズ
１７、１８  凹部
１９  押当部材
２０  開口部
５０  光ピックアップ
９０  制御部
１００  光ディスク装置
２００  クリーニングディスク
２０１  クリーニング部材
【図１】
2010009664.tif 000003
【図２】
2010009664.tif 000004
【図３】
2010009664.tif 000005
【図４】
2010009664.tif 000006
【図５】
2010009664.tif 000007